(57)【要約】【目的】床スラブへの効率的な配設が可能であり、しかも床スラブに対するホッパー部及び連結管部の高さ調整が可能である排水ホッパーを提供する。【構成】排水を集水する漏斗状のホッパー部と、  該ホッパー部の下部に連通状態で一体的に設けられると共に、下端に排水管が接続される管部と、  を有して成り、コンクリート打設前の床スラブ型枠に設置固定され、床スラブに埋設される排水ホッパーにおいて、  前記管部が、接続される排水管に対応する径を有すると共に、施工箇所の床スラブの設計厚みに応じて設定される長さを有する管材から成る構成であり、  前記ホッパー部が、その外側の少なくとも２箇所にボルト部材が高さ調整可能に垂設状態で取り付けられた構成であり、  前記ボルト部材の下端には、床スラブ型枠の上面に固定可能な固定足部が取り付けられた構成である。【選択図】        図１
2018025014.tif 000002
【特許請求の範囲】
【請求項１】
排水を集水する漏斗状のホッパー部と、
該ホッパー部の下部に連通状態で一体的に設けられると共に、下端に排水管が接続される管部と、
を有して成り、コンクリート打設前の床スラブ型枠に設置固定され、床スラブに埋設される排水ホッパーにおいて、
前記管部が、接続される排水管に対応する径を有すると共に、施工箇所の床スラブの設計厚みに応じて設定される長さを有する管材から成る構成であり、
前記ホッパー部が、その外側の少なくとも２箇所にボルト部材が高さ調整可能に垂設状態で取り付けられた構成であり、
前記ボルト部材の下端には、床スラブ型枠の上面に固定可能な固定足部が取り付けられた構成であること、
を特徴とする排水ホッパー。
【請求項２】
前記ホッパー部の外側に、前記ボルト部材を遊動状態で挿通可能な透孔を有するボルト挿通部材が取り付けられており、このボルト挿通部材に挿通したボルト部材はナットにより前記ボルト挿通部材に緊締固定される構成であることを特徴とする請求項１に記載の排水ホッパー。
【請求項３】
前記ホッパー部及び管部の少なくとも内周面が、耐水性・耐油性・耐薬品性を有する表面処理が施された構成であることを特徴とする請求項１又は２に記載の排水ホッパー。
【請求項４】
前記表面処理が、メラミン樹脂系塗料を焼付塗装した構成であることを特徴とする請求項３に記載の排水ホッパー。
【請求項５】
管部下端の内周面にネジ部が形成された構成であることを特徴とする請求項１〜４のいずれかに記載の排水ホッパー。
【請求項６】
管部下端の外周面にネジ部が形成された構成であることを特徴とする請求項１〜４のいずれかに記載の排水ホッパー。
【請求項７】
ホッパー部の上部開口に着脱可能に取り付けられる蓋体が用意されており、蓋体の取付けにより前記上部開口の閉塞が可能である構成であることを特徴とする請求項１〜６のいずれかに記載の排水ホッパー。
【請求項８】
前記蓋体の上面に、注意を促す表記が施された構成であることを特徴とする請求項７に記載の排水ホッパー。
【発明の詳細な説明】
【技術分野】
【０００１】
本発明は排水ホッパーに関し、詳しくは床スラブに形成される集水排水用の貫通孔に配設する排水ホッパーに関する。
【背景技術】
【０００２】
従来、床スラブに形成した集水排水用の貫通孔に排水ホッパーを配設するには、下記（１）〜（５）に示す施工作業工程が主として採られている。
（１）先ず、コンクリート打設前の床スラブ用の型枠上の所望位置に貫通孔形成用の床スリーブを設置固定する。
（２）次に、コンクリートを打設し、所定の養生後に型枠を除去し、集水排水用の貫通孔が形成された床スラブが得られる。
（３）次に、床スラブの下方の排水管本管に接続される排水管の上端を貫通孔内に臨むように配設する。
（４）次に、前記貫通孔上に排水ホッパーを配設すると共に、前記排水管の上端に排水ホッパーの漏斗状の下部を連通状態で接続する。
（５）次に、貫通孔内の排水管及び排水ホッパーと貫通孔内面との間に生じている空隙部にモルタル等を充填することにより、空隙部を埋設し、このモルタル養生後に完成となる。
【０００３】
上記の排水ホッパーの配設は、一棟の建築構築物に対して多数箇所となるため、上記した工程、特に、排水ホッパー配設後の空隙部へのモルタル充填作業を有する施工作業は面倒且つ煩雑であり、かかる工程の作業効率を向上させた技術として、例えば、特許文献１が既に提案されている。
【０００４】
特許文献１に記載の技術は、漏斗状のホッパー部と、このホッパー部の下部に連通状態で一体的に設けられた管部と、を有する排水ホッパーを用い、この排水ホッパーをコンクリート打設前の床スラブ用の型枠上の所望位置にスリーブに替えて直接設置し、管部の下端から放射状に連設されている３つの固定足部を型枠に釘等の固定手段により固定した後、コンクリートを打設し、コンクリート養生後に型枠を取り除き、管部の下端に床スラブの下方に配管されている排水管を接続する構成を有するものである。
【先行技術文献】
【特許文献】
【０００５】
【特許文献１】実開平０４−００９４６７号
【発明の概要】
【発明が解決しようとする課題】
【０００６】
特許文献１に記載の技術によれば、従来の施工作業に比して作業効率は向上しているが、型枠に対するホッパー部や管部の高さを調整することができないという不都合を有している。
【０００７】
そこで本発明の第１の課題は、床スラブへの効率的な配設が可能であり、しかも床スラブに対するホッパー部及び管部の高さ調整が可能である排水ホッパーを提供することにある。
【０００８】
また、本発明の第２の課題は、排水ホッパーを床スラブに固定してからの現場における後処理を要せず、防錆能を発揮できる排水ホッパーを提供することにある。
【課題を解決するための手段】
【０００９】
上記課題を解決する本発明は下記構成を有する。
【００１０】
１．排水を集水する漏斗状のホッパー部と、
該ホッパー部の下部に連通状態で一体的に設けられると共に、下端に排水管が接続される管部と、
を有して成り、コンクリート打設前の床スラブ型枠に設置固定され、床スラブに埋設される排水ホッパーにおいて、
前記管部が、接続される排水管に対応する径を有すると共に、施工箇所の床スラブの設計厚みに応じて設定される長さを有する管材から成る構成であり、
前記ホッパー部が、その外側の少なくとも２箇所にボルト部材が高さ調整可能に垂設状態で取り付けられた構成であり、
前記ボルト部材の下端には、床スラブ型枠の上面に固定可能な固定足部が取り付けられた構成であること、
を特徴とする排水ホッパー。
【００１１】
２．前記ホッパー部の外側に、前記ボルト部材を遊動状態で挿通可能な透孔を有するボルト挿通部材が取り付けられており、このボルト挿通部材に挿通したボルト部材はナットにより前記ボルト挿通部材に緊締固定される構成であることを特徴とする上記１に記載の排水ホッパー。
【００１２】
３．前記ホッパー部及び管部の少なくとも内周面が、耐水性・耐油性・耐薬品性を有する表面処理が施された構成であることを特徴とする上記１又は２に記載の排水ホッパー。
【００１３】
４．前記表面処理が、メラミン樹脂系塗料を焼付塗装した構成であることを特徴とする上記３に記載の排水ホッパー。
【００１４】
５．管部下端の内周面にネジ部が形成された構成であることを特徴とする上記１〜４のいずれかに記載の排水ホッパー。
【００１５】
６．管部下端の外周面にネジ部が形成された構成であることを特徴とする上記１〜４のいずれかに記載の排水ホッパー。
【００１６】
７．ホッパー部の上部開口に着脱可能に取り付けられる蓋体が用意されており、蓋体の取付けにより前記上部開口の閉塞が可能である構成であることを特徴とする上記１〜６のいずれかに記載の排水ホッパー。
【００１７】
８．前記蓋体の上面に、注意を促す表記が施された構成であることを特徴とする上記７に記載の排水ホッパー。
【発明の効果】
【００１８】
請求項１に示す発明によれば、床スラブへの効率的な配設が可能であり、しかも床スラブに対するホッパー部及び管部の高さ調整が可能である排水ホッパーを提供することができ、前記第１の課題を解決できる。
【００１９】
特に、下端に固定足部が取り付けられたボルト部材が、ホッパー部の外側に高さ調整可能に垂設されているので、床スラブに対してホッパー部と管部を任意に高さに設定することができる。
【００２０】
また、上記のボルト部材及び固定足部は、従来の特許文献１の技術のように管部の下端ではなく、ホッパー部に外側から垂設されているので、床スラブ型枠に透孔を穿設し、この透孔に管部の下端を挿通させた状態であっても排水ホッパーの設置が可能であるため、床スラブの下面から管部の下端を突出させることが可能であり、更にこの突出長さも任意の長さに設定することが可能である。
【００２１】
請求項２に示す発明によれば、ボルト部材は遊動状態でホッパー部から垂設されるので、床スラブ型枠に対する固定に際しては床スラブ型枠上面の凹凸や傾き等の誤差や不具合等を許容吸収した状態での設置が可能である。従って、現場合せでの調整が極めて容易となり作業性が良好である。
【００２２】
請求項３に示す発明によれば、従来、排水ホッパーを床スラブに設置固定してから防錆材（例えば、タールエポキシ等）を塗布していたが、この現場での後処理工程が不要となり、前記第２の課題を解決できる。
【００２３】
請求項４に示す発明によれば、光沢・硬度に優れた密着性の良好な琺瑯調の塗膜が得られ、耐水性・耐油性・耐薬品性・耐衝撃性に優れた表面処理が得られる。従って、腐食・損傷が生じ難いため長寿命である。特に、表面処理としてメッキ処理を施す構成や、或いは排水ホッパーそのものの素材をステンレス材で形成する構成に比して、低コストであり、前記第２の課題を、より効果的に解決できる。
【００２４】
請求項５、６に示す発明によれば、管部に接続する排水管の端部が雌ネジであるか雄ネジであるかや、バルブソケットを用いる場合には該バルブソケットのネジ構成に応じて接続用のネジ部の形成位置を外周面又は内周面に形成することにより対応することができる。
【００２５】
請求項７に示す発明によれば、コンクリート打設時のホッパー部内への打設コンクリートの流入を防止することができる。
【００２６】
請求項８に示す発明によれば、施工作業時に床スラブに埋設されている排水ホッパーに取り付けられている蓋体を作業者等が誤って踏み抜いてしまう等の事故を抑制することができる。
【図面の簡単な説明】
【００２７】
【図１】本発明に係る排水ホッパーの一実施例を示す６面図（正面図、平面図、底面図、左側面図、背面図、Ａ−Ａ断面図）
【図２】排水ホッパーを用いた施工状態を説明する概略説明断面図
【図３】排水ホッパーの施工時に用いられる蓋体の一例を示す５面図（正面図、平面図、底面図、左側面図、背面図）
【図４】本発明に係る排水ホッパーの他の実施例を示す正面図
【発明を実施するための形態】
【００２８】
次に、添付の図面に従って本発明を詳細に説明する。
【００２９】
図１〜図２に示すように、本発明に係る排水ホッパー１は、
排水を集水する漏斗状のホッパー部２と、
該ホッパー部２の下部に連通状態で一体的に設けられると共に、下端に排水管（仮想線で示す）６が接続される管部３と、
を有して成り、コンクリート４打設前の床スラブ型枠５に設置固定され、床スラブに埋設される構成において、
前記管部３が、接続される排水管６に対応する径を有すると共に、施工箇所の床スラブの設計厚みに応じて設定される長さを有する管材から成る構成であり、
前記ホッパー部２が、その外側の少なくとも２箇所（本実施例では３箇所）にボルト部材７が高さ調整可能に垂設状態で取り付けられた構成であり、
前記ボルト部材７の下端には、床スラブ型枠５の上面に固定可能な固定足部８が取り付けられた構成、主構成とするものである。
【００３０】
以下、本発明の排水ホッパーの各構成について更に詳説する。
【００３１】
ホッパー部２の外側には、ボルト部材７を遊動状態で挿通可能な透孔を有するボルト挿通部材２１が取り付けられており、このボルト挿通部材２１に挿通したボルト部材７はナット７１・７１により前記ボルト挿通部材２１に緊締固定される。
【００３２】
ボルト挿通部材２１としては、本実施例ではボルト部材７の軸部の直径より大きな孔径を有するナットを用い、このナットをホッパー部２の外側に溶接等の固着手段を用いて取付けることにより、挿通するボルト部材７を遊動状態で垂設することができる。
【００３３】
ボルト部材７の下端に取り付けられた固定足部８は、ボルト部材７に対してナット部８１により螺合状態で取付けられることが高さや向きの調整が可能となるので、床スラブ型枠５の固定面の状態に対応することができ好ましい。尚、本実施例では、ナット部８１はダブルナット構成を採用しているが、シングルナット構成等の他の構成であってもよい。
【００３４】
また、固定足部８に設けられた透孔８２は、床スラブ型枠５へ該固定足部８を取付固定するための固定手段である釘５１を挿通するためのものである。
【００３５】
管部３には、下端の内周面にネジ部３１が形成されており、床スラブの下方に配管されている排水管の本管・支管に直接又はバルブソケットを介して接続される。尚、接続する配管管の端部のネジ構成やバルブソケットのネジ構成が雌ネジであるか雄ネジであるかに応じて接続用のネジ部の形成位置は内周面又は外周面に形成することにより対応することができる。上記した図１及び図２に示す実施例では内周面に形成した態様であるが、図４に示す態様は管部３の外周面にネジ部３１を形成している。
【００３６】
ホッパー部２の直径・高さ・漏斗状の拡開角度等の構成は、この種の排水ホッパーのホッパー部として公知公用の構成を採ることができ、用いられる施工場所や集水する排水量等の要求値によって適宜設定される。
【００３７】
管部３の直径は、集水する排水量等の要求値等に応じて適宜設定され、また、管部３の長さは、設置される床スラブの設計厚みや床スラブの下方に配管されて接続する排水管の接続部までの距離等に応じて適宜設定される。
【００３８】
ホッパー部２及び管部３とを有して成る排水ホッパー１を構成する材質としては、この種の排水ホッパーとして公知公用の材質から形成される。
【００３９】
上記構成を有する排水ホッパー１は、ホッパー部２及び管部３の少なくとも内周面が、耐水性・耐油性・耐薬品性を有する表面処理が施された構成であることが好ましく、より好ましくは全面が同様の表面処理が施された構成を採ることである。
【００４０】
好ましい表面処理としては、メラミン樹脂系塗料を用いた焼付塗装を挙げることができる。かかる構成によれば、従来、排水ホッパーを床スラブに設置固定してから防錆材（例えば、タールエポキシ等）を塗布していたが、この現場での後処理工程が不要となる。特に、メラミン樹脂系塗料の焼付塗装は、光沢・硬度に優れた密着性の良好な琺瑯調の塗膜が得られ、耐水性・耐油性・耐薬品性・耐衝撃性に優れた表面処理が低コストで得られる。従って、腐食・損傷が生じ難いため長寿命である。
【００４１】
上記構成を有する本発明の排水ホッパー１は、図２に示すように、その施工に際しては、先ず、コンクリート打設前の床スラブ型枠５の所望の位置に設置し、ボルト部材７・ナット７１及び固定足部８のナット部８１を調整し、床スラブの設計厚みや床スラブ下への管部３の突出長さ等が適正値に設定しつつ、床スラブ型枠５上に安定した状態で設置されるように調整した後に緊締し、この状態で固定足部８の透孔８２に釘５１の如き固定手段を打ち込むことにより床スラブ型枠上に固定する。
【００４２】
本発明の排水ホッパー１を床スラブ型枠５上に設置した後、コンクリート４を打設し、養生する。このコンクリート打設から養生中において、排水ホッパー１のホッパー部２の漏斗状の内部へのコンクリート等の流入を防ぐため、ホッパー部２の上部開口は図３に示す構成の蓋体９を用いて閉塞する。
【００４３】
蓋体９は、図３に示すように、天板９１と該天板９１の下面に垂設固定した脚部９２とを有し、この脚部９２がホッパー部２の内周面に圧接状態で挿し込まれることにより該ホッパー部２に蓋体９を固定することができる。
【００４４】
尚、蓋体９のホッパー部２への固定時と取外し時の際、脚部９２の脱着によるホッパー部２内面の表面処理の損傷を防ぐため、脚部９２にはクッション材９３が固着されていることが好ましい。
【００４５】
尚また、蓋体９の下面とホッパー部２の口縁部との接触による該口縁部の表面処理の損傷を防ぐため、前記蓋体９の下面にはクッション材９４が固着されていることが好ましい。
【００４６】
また、蓋体９の天板９１の上面には、注意を促す表記が施されていることが好ましい。本実施例では、図３の平面図に示すように天板９１の上面に「注意」なる文字が表記されている。また、かかる表記は赤色や蛍光色等の様に目立つ表記とすることが、より好ましい。かかる構成によれば、施工作業時に床スラブに埋設されている排水ホッパー１に取り付けられている蓋体９を作業者等が誤って踏み抜いてしまう等の事故を抑制することができる。
【００４７】
更に、蓋体９の天板９１の中央には、取外し用の孔部９５が形成されていることが好ましい。打設コンクリートの養生後に、この孔部９５にドライバー等を挿通して引き上げることにより該蓋体９を排水ホッパー１から取り外すことができる。かかる構成によれば、ホッパー部２の口縁部とコンクリート４の上面とが面一に施工されて蓋体９の縁部に手指が掛かり難いような場合であっても、ホッパー部２の口縁部の表面処理等を損傷させることなく該蓋体９を容易に取り外すことができる。
【００４８】
以上、本発明に係る排水ホッパーの実施例について説明したが、本発明は上記実施例に限定されず、本発明の範囲内において種々の態様を採ることができる。
【００４９】
例えば、上記実施例では、排水ホッパーをメラミン樹脂系塗料を焼付塗装で表面処理した構成としているが、この種の排水ホッパーとして公知公用の構成を特別の制限なく採ることができ、例えば、ユニクロメッキ仕上げにしたり、排水ホッパー自体をステンレス材で形成したり等の構成を採ってもよい。
【００５０】
尚、床スラブ型枠５は、打設コンクリートの養生後に撤去する型枠を云うほか、養生後に除去することなく設置されたままとするデッキプレートも含めて云う。
【符号の説明】
【００５１】
１  排水ホッパー
２  ホッパー部
２１  ボルト挿通部材
３  管部
３１  ネジ部
４  コンクリート
５  床スラブ型枠
５１  釘
６  排水管
７  ボルト部材
７１  ナット
８  固定足部
８１  ナット部
８２  透孔
９  蓋体
９１  天板
９２  脚部
９３  クッション材
９４  クッション材
９５  孔部
【図１】
2018025014.tif 000003
【図２】
2018025014.tif 000004
【図３】
2018025014.tif 000005
【図４】
2018025014.tif 000006